(57)【要約】【課題】簡単な構造で耐火材構造物の過大変形等を防止することができる耐火材構造物の過大変形防止構造を提供する。【解決手段】循環流動層ボイラのサイクロン３は、鋼板製のケーシング１０内壁にガラス繊維等からなる断熱材１１を介しかつステンレス製のアンカー１２で支持させてセラミックス等からなる多数の板状耐火材１３を互いに隣接する耐火材１３間に熱伸び吸収用の目地１４を配して張り付けた所謂耐火材構造物として施工されている。そして、前記耐火材１３の熱伸びによる過大変形防止構造として、前記目地１４の内、水平目地部が斜め下向きに施工されている。【選択図】　　　　図２
2004092965.tif 000002
【特許請求の範囲】
【請求項１】
ケーシング内壁に断熱材を介しかつアンカーで支持させて多数の板状耐火材を互いに隣接する耐火材間に熱伸び吸収用の目地を配して張り付けた耐火材構造物において、前記耐火材の熱伸びによる過大変形防止構造を施したことを特徴とする耐火材構造物の過大変形防止構造。
【請求項２】
前記耐火材の熱伸びによる過大変形防止構造として、前記目地の内、水平目地部を斜め下向きに施工したことを特徴とする請求項１記載の耐火材構造物の過大変形防止構造。
【請求項３】
前記耐火材の熱伸びによる過大変形防止構造として、前記アンカーを耐火材の熱伸び方向に対し、斜めに傾けて設置したことを特徴とする請求項１記載の耐火材構造物の過大変形防止構造。
【請求項４】
前記耐火材の熱伸びによる過大変形防止構造として、前記断熱材に部分的に非変形部を設けたことを特徴とする請求項１記載の耐火材構造物の過大変形防止構造。
【請求項５】
前記耐火材構造物は、循環流動層ボイラのサイクロンであることを特徴とする請求項１，２，３又は４記載の耐火材構造物の過大変形防止構造。
【発明の詳細な説明】
【０００１】
【発明の属する技術分野】
本発明は、循環流動層ボイラのサイクロン等耐火材構造物の過大変形防止構造に関する。
【０００２】
【従来の技術】
従来より石炭、脱水汚泥、都市ごみ等の燃焼若しくは燃焼ボイラとして循環流動層ボイラ（ＣＦＢ）が多く用いられている。かかる循環流動層ボイラは、流動床熱交換器（ボイラ）等を付設した流動床炉（コンバスタ）出口側に、燃焼ガスと流動砂等を分離するサイクロンを設け、該サイクロンで分離した流動砂をシールポット等を介して前記流動床熱交換器若しくは流動床炉に戻しながら都市ごみ等の焼却若しくは燃焼ボイラとして機能させるものである。
【０００３】
そして、前記サイクロンは、図５に示すように、ケーシング１００　の内壁に断熱材１０１　を介しかつアンカー１０２　で支持させて多数の板状耐火材１０３　を互いに隣接する耐火材１０３　間に熱伸び吸収用の目地１０４　を配して張り付けた所謂耐火材構造物として施工される。
【０００４】
【発明が解決しようとする課題】
ところが、上述したような従来のサイクロン（耐火材構造物）にあっては、循環流動層ボイラの高温運転中などにおいて、燃焼ガスと分離された流動砂等が目地１０４　内に侵入し、これが次第に堆積すると耐火材１０３　の熱伸びを吸収することが出来なくなり、最終的には、サイクロン下部に設置したエキスパンジョン部の許容値を超えるなどして、サイクロンが過大変形したり支持鉄骨が過大撓みするような損傷が生じるという問題点があった。
【０００５】
そこで、本発明の目的は、簡単な構造で耐火材構造物の過大変形等を防止することができる耐火材構造物の過大変形防止構造を提供することにある。
【０００６】
【課題を解決するための手段】
上記課題を解決するための本発明に係る耐火材構造物の過大変形防止構造は、ケーシング内壁に断熱材を介しかつアンカーで支持させて多数の板状耐火材を互いに隣接する耐火材間に熱伸び吸収用の目地を配して張り付けた耐火材構造物において、前記耐火材の熱伸びによる過大変形防止構造を施したことを特徴とする。
【０００７】
また、前記耐火材の熱伸びによる過大変形防止構造として、前記目地の内、水平目地部を斜め下向きに施工したことを特徴とする。
【０００８】
また、前記耐火材の熱伸びによる過大変形防止構造として、前記アンカーを耐火材の熱伸び方向に対し、斜めに傾けて設置したことを特徴とする。
【０００９】
また、前記耐火材の熱伸びによる過大変形防止構造として、前記断熱材に部分的に非変形部を設けたことを特徴とする。
【００１０】
また、前記耐火材構造物は、循環流動層ボイラのサイクロンであることを特徴とする。
【００１１】
【発明の実施の形態】
以下、本発明に係る耐火材構造物の過大変形防止構造を実施例により図面を用いて詳細に説明する。
【００１２】
［第１実施例］
図１は本発明の第１実施例を示す循環流動層ボイラの概略構成図、図２は同じく図１のＡ部（サイクロン内壁部）拡大断面図である。
【００１３】
図１に示すように、循環流動層ボイラにおいては、ボイラ水と熱交換を行う流動床熱交換器１を付設した流動床炉（コンバスタ）２は下方より一次空気を導入してけい砂等の流動砂と燃焼物を流動混合して一次燃焼を行った後、その上方のフリーボード部２ａに二次空気を導入して二次燃焼を行い、可燃性ガスの燃焼完結を図っている。
【００１４】
そして、前記燃焼により高温加熱された燃焼ガスは流動砂とともに、サイクロン３に導かれ、該サイクロン３で燃焼ガスと流動砂とに分離した後、該燃焼ガスは、後部煙通４に導かれて後部熱交換器５内で前記した流動床炉（コンバスタ）２に導入する一次空気と二次空気に対して熱交換を行った後、図示しないバグフィルタを通して飛灰等を除去した後、図示しない煙突等により大気に放出される。一方、サイクロン３で分離した流動砂は、シールポット６により流動床炉（コンバスタ）２にホットリサイクル管７ａを介して直接返入するものと流動床熱交換器１にコールドリサイクル管７ｂを介して返入するものとに分配制御される。
【００１５】
前記サイクロン３は、図２に示すように、鋼板製ケーシング１０の内壁にガラス繊維等からなる断熱材１１を介しかつステンレス製のアンカー１２で支持させてセラミックス等からなる多数の板状耐火材１３を互いに隣接する耐火材１３間に熱伸び吸収用の目地１４を配して張り付けた所謂耐火材構造物として施工されている。
【００１６】
そして、前記耐火材１３の熱伸びによる過大変形防止構造として、前記目地１４の内、水平目地部が斜め下向きに施工されている。
【００１７】
従って、循環流動層ボイラの高温運転中などにおいて、サイクロン３内で燃焼ガスと分離された流動砂等が目地１４内に侵入しても、振動等で落下するなど堆積しにくく、耐火材１３の熱伸びを長期間に亙って良好に吸収することが出来る。この結果、従来のように、耐火材１３の熱伸びがサイクロン３下部に設置したエキスパンジョン部（図示せず）の許容値を超えるなどして、サイクロン３が過大変形したり支持鉄骨が過大撓みするような損傷は生じない。
【００１８】
［第２実施例］
図３は本発明の第２実施例を示すサイクロン内壁部の断面図である。
【００１９】
これは、耐火材１３の熱伸びによる過大変形防止構造として、第１実施例におけるアンカー１２を耐火材１３の熱伸び方向（図中矢印参照）に対し、斜め上向きに傾けてケーシング１０に溶接等した例である。
【００２０】
これによれば、アンカー１２の剛性がアップして耐火材１３の下方への熱伸びが抑制され、第１実施例と同様の効果が得られる。
【００２１】
［第３実施例］
図４は本発明の第３実施例を示すサイクロン内壁部の断面図である。
【００２２】
これは、耐火材１３の熱伸びによる過大変形防止構造として、第１実施例における断熱材１１に部分的に非変形部１１ａを設けた例である。非変形部１１ａとしては硬い断熱材１１を用いても良いし、リング状の金属板でも良い。
【００２３】
これによれば、断熱材１１の取付強度がアップして耐火材１３の下方への熱伸びが抑制され、第１実施例と同様の効果が得られる。
【００２４】
尚、本発明は上記各実施例に限定されず、本発明の要旨を逸脱しない範囲で各種変更が可能であることはいうまでもない。例えば、本発明の過大変形防止構造をサイクロン内壁部だけでなく、シールポット６やホットリサイクル管７ａ及びコールドリサイクル管７ｂの内壁にも適用しても良い。また、循環流動層ボイラに限らず、他の設備等の耐火材構造体にも本発明は適用することができる。
【００２５】
【発明の効果】
以上、実施例により具体的に説明したように、請求項１の発明によれば、ケーシング内壁に断熱材を介しかつアンカーで支持させて多数の板状耐火材を互いに隣接する耐火材間に熱伸び吸収用の目地を配して張り付けた耐火材構造物において、前記耐火材の熱伸びによる過大変形防止構造を施したので、簡単な構造で耐火材構造物の過大変形等を防止することができる。
【００２６】
請求項２の発明によれば、前記耐火材の熱伸びによる過大変形防止構造として、前記目地の内、水平目地部を斜め下向きに施工したので、流動砂等が目地内に侵入しても、振動等で落下するなど堆積しにくく、耐火材の熱伸びを長期間に亙って良好に吸収することが出来、請求項１の発明と同様の効果が得られる。
【００２７】
請求項３の発明によれば、前記耐火材の熱伸びによる過大変形防止構造として、前記アンカーを耐火材の熱伸び方向に対し、斜めに傾けて設置したので、耐火材の下方への熱伸びが抑制され、請求項１の発明と同様の効果が得られる。
【００２８】
請求項４の発明によれば、前記耐火材の熱伸びによる過大変形防止構造として、前記断熱材に部分的に非変形部を設けたので、断熱材の取付強度がアップして耐火材の下方への熱伸びが抑制され、請求項１の発明と同様の効果が得られる。
【００２９】
請求項５の発明によれば、前記耐火材構造物は、循環流動層ボイラのサイクロンであるので、ケーシングが６０℃程度に対し８５０℃程度の高温となる耐火材の熱伸びを効果的に吸収又は抑制することができ、有効である。
【図面の簡単な説明】
【図１】本発明の第１実施例を示す循環流動層ボイラの概略構成図である。
【図２】同じく図１のＡ部（サイクロン内壁部）拡大断面図である。
【図３】本発明の第２実施例を示すサイクロン内壁部の断面図である。
【図４】本発明の第３実施例を示すサイクロン内壁部の断面図である。
【図５】従来のサイクロン内壁部の断面図である。
【符号の説明】
１　流動床熱交換器
２　流動床炉（コンバスタ）
３　サイクロン
４　後部煙通
５　後部熱交換器
６　シールポット
１０　ケーシング
１１　断熱材
１２　アンカー
１３　耐火材
１４　目地
【図１】
2004092965.tif 000003
【図２】
2004092965.tif 000004
【図３】
2004092965.tif 000005
【図４】
2004092965.tif 000006
【図５】
2004092965.tif 000007